(57)【要約】【課題】打球により遮蔽部材を回動させることによって落し口を開口状態または閉鎖状態に変化させ遮蔽部材に不規則性・偶然性を持たせることにより遊技の興趣を高め、遊技者を十分に楽しませることができるパチンコ遊技機の役物装置を提供する。【解決手段】流入通路樋１８に流入して囲い枠２６内の転動通路２９を流下しかつ囲い枠２６の後側壁２７ａに開設された落し口３２に流入した打球、または誘導通路樋２０に流入した打球を囲い枠２６とその後側のカバー部材３４との間に形成された球流下通路３６に誘導して衝突させることにより、該球流下通路３６に軸装される回動部材３７を回動させると共に遮蔽部材４２を回動させ、その停止した位置での遮蔽部材４２により前記落し口３２が偶然的に閉鎖または開放されるようにした。【選択図】図３
2007282921.tif 000002
【特許請求の範囲】
【請求項１】
開口窓が開設される取付基板の前側の所定位置に流入通路樋と誘導通路樋とを配置し、前記取付基板の後側に前記開口窓に臨むようにして囲い枠を設置し、前記囲い枠の後側壁の前側に前記流入通路樋から流入した打球を転動して流下させる転動通路を形成し、前記転動通路に沿った前記後側壁の適宜位置に該転動通路を流下する打球が流入し得る落し口を開設し、前記囲い枠と該囲い枠を覆うカバー部材との間に前記誘導通路樋及び前記落し口と連通する球流下通路を形成し、前記球流下通路に前記囲い枠の後側壁と平行な面内で自在に回動し外周縁に複数の球受羽根部が列設される回動部材及び該回動部材と連動し前記囲い枠の後側壁面に沿って回動する遮蔽部材を軸装してなり、
前記誘導通路樋または前記落し口に流入した打球を前記球流下通路内の球受羽根部に衝突させることにより前記回動部材と共に前記遮蔽部材を回動させ、前記遮蔽部材の停止した位置によっては該遮蔽部材により前記落し口が偶然的に閉鎖または開放されるようにしたことを特徴とするパチンコ遊技機の役物装置。
【発明の詳細な説明】
【技術分野】
【０００１】
本発明は、パチンコ遊技機の遊技盤面に装着されるパチンコ遊技機の役物装置に関するものである。
【背景技術】
【０００２】
従来、遊技盤の中央に役物装置として大型の入賞装置を装着し、遊技盤面に打ち込まれた打球が前記入賞装置に入賞することによって該入賞装置と関連する他の入賞口を作動し、一度に多くの賞球が得られるようにしたパチンコ遊技機がある（例えば、特許文献１参照。）。該入賞装置は、上部に入賞口を配置したケース本体と、ケース本体内に配設されると共に揺動機構により揺動駆動され前記入賞口と連通しかつ後面が開放する案内路を設けた揺動案内体と、該揺動案内体の後側に配置され前記案内路と部分的に連通する通常通出口及び特別通出口を開設した裏盤と、該裏盤の後側に配置されモータにより回転駆動されると共に前記通常通出口及び特別通出口を開口状態と閉鎖状態とに変化させる遮蔽部材としての回転規制盤とからなる。そして、前記入賞口に流入した打球を案内路に導き揺動案内体を揺動させると共にモータにより回転規制盤を回転させることにより、開口状態と閉鎖状態とに変化する通常通出口または特別通出口に前記案内路内の打球が流入するようにして遊技が楽しめるようにしている。
【特許文献１】実開平６−３９０６１号公報（第８−１４頁、図１）
【発明の開示】
【発明が解決しようとする課題】
【０００３】
しかしながら、前記特許文献１のパチンコ遊技機の入賞装置にあっては、通常通出口及び特別通出口を開口状態と閉鎖状態とに変化させる遮蔽部材としての回転規制盤がモータに連結され、該モータの回転により回転させるようにしているので、その回転規制盤はモータにより規則的に回転動作を繰り返すことになる。このように、その回転動作が規則性を持つことから、通常通出口及び特別通出口の開口状態と閉鎖状態も規則的に変化することになり偶然性に乏しくて面白味が少なくなり、遊技者を楽しませるといった点では一工夫足りないという課題があった。また、回転規制盤を回転させるに電気的駆動源であるモータを使用することから入賞装置自体がコスト的に高価なものになるという課題もある。
【０００４】
そこで、本発明は、上記課題を解決すべくなされたもので、遊技部に打ち込まれた打球により遮蔽部材を回動させることによって落し口を開口状態または閉鎖状態に変化させるようにし、これにより遮蔽部材に不規則性・偶然性を持たせて遊技の興趣を高め、遊技者を十分に楽しませることができると共にコスト的にも低廉になし得るパチンコ遊技機の役物装置を提供することを目的とするものである。
【課題を解決するための手段】
【０００５】
かかる目的を達成するため本発明のパチンコ遊技機の役物装置は、開口窓が開設される取付基板の前側の所定位置に流入通路樋と誘導通路樋とを配置し、前記取付基板の後側に前記開口窓に臨むようにして囲い枠を設置し、前記囲い枠の後側壁の前側に前記流入通路樋から流入した打球を転動して流下させる転動通路を形成し、前記転動通路に沿った前記後側壁の適宜位置に該転動通路を流下する打球が流入し得る落し口を開設し、前記囲い枠と該囲い枠を覆うカバー部材との間に前記誘導通路樋及び前記落し口と連通する球流下通路を形成し、前記球流下通路に前記囲い枠の後側壁と平行な面内で自在に回動し外周縁に複数の球受羽根部が列設される回動部材及び該回動部材と連動し前記囲い枠の後側壁面に沿って回動する遮蔽部材を軸装した構成からなる。そして、前記誘導通路樋または前記落し口に流入した打球を前記球流下通路内の球受羽根部に衝突させることにより前記回動部材と共に前記遮蔽部材を回動させ、前記遮蔽部材の停止した位置によっては該遮蔽部材により前記落し口が偶然的に閉鎖または開放されるようにしている。
【発明の効果】
【０００６】
本発明に係るパチンコ遊技機の役物装置は、回動部材と一緒に回動する遮蔽部材が遊技部に打ち込まれた打球により回動するようにしたので、囲い枠の後側壁に開設された落し口の開放状態と閉鎖状態とが不規則に変化し極めて偶然的に決まることになる。これにより遊技の興趣が高められ、遊技者を十分に楽しませることができるという効果がある。また、遮蔽部材を回動させるに電気的駆動源であるモータを使用しないことから、役物装置がコスト的に低廉になし得るという効果もある。
【発明を実施するための最良の形態】
【０００７】
以下、本発明に係るパチンコ遊技機の役物装置の実施の形態を図面に基き説明する。本発明において役物装置とは、遊技盤面に装着される装置であって、該遊技盤面に打ち込まれた打球を一旦受け入れた後に再び遊技盤面に戻す装置と、受け入れた後にその打球を入賞球として処理する装置とのいずれも含むものである。図１は本発明が適用されるパチンコ遊技機の正面図である。該パチンコ遊技機Ｐは、縦長方形枠状に形成される外枠１を有し、該外枠１の前面に遊技盤取付枠（図示せず。）が配置され、該遊技盤取付枠に遊技盤２が設置される。該遊技盤２の前面には内側のガイドレール３ａと外側のガイドレール３ｂが略円形状に敷設され、これら内側・外側のガイドレール３ａ，３ｂにより囲まれるようにして遊技部２ａが形成される。
【０００８】
前記遊技部２ａには、その中央部に本発明に係るセンター役物としての大型の役物装置４が配設される。また、その下方に中央入賞口５が配設され、その両側に第一入賞口６，６が配設されると共に更にその両側に第二入賞口７，７が配置されている。これら中央入賞口５及び第一・第二入賞口６，７は、いずれも図示しない電気的駆動源により遊技球である打球が入賞し難い起立した状態と入賞し易い逆八の字形に傾動した状態とに変換可能な一対の傾動翼片８，８を有している。９は遊技部２ａの下端部に位置し打ち込まれた打球であって、入賞球とならなかったアウト球をパチンコ遊技機Ｐの外部へ排出するためのアウト球口である。
【０００９】
前記遊技盤取付枠の前面には、一側を軸着して前面枠１０が開閉自在に設けられている。この前面枠１０は、遊技盤取付枠の前面全体を覆う大きさからなり、合成樹脂製であって前面は意匠的に非常に富んだデザインとされる。そして、そのほぼ中央に前記遊技盤２の遊技部２ａが臨む略円形状の窓口１１が開設され、該窓口１１に一対の透明な合成樹脂板１２が装着される。なお、その窓口１１には一対の透明なガラス板を装着するようにしても良い。前面枠１０の下部に打球発射位置（図示せず。）へ遊技球を供給するための球受皿１４が一体に成形される。また、その上方に位置して該球受皿１４へ遊技球を導くための補助球受皿１４が一体に成形されている。この補助球受皿１４は、下の球受皿１４と連通しておりパチンコ遊技機間に介在される球供給装置（図示せず。）から供給される遊技球を一旦受け入れて下の球受皿１４に導くためのものである。前面枠１０の一側下隅角部に打球の打球力を調整するための操作ハンドル１５が装着される。
【００１０】
前記役物装置４は、図２、図３に示すようにその前側に遊技盤２面に取り付けられ中央に円形の開口窓１６が開設された取付基板１７を備えている。この取付基板１７の所定位置である中央上部に、上端面に球入口１９ａが設けられ下端後面に前記開口窓１６に臨む球出口１９ｂが設けられた流入通路樋１８が配置される。また、同じく前記取付基板１７の所定位置である両側部には、上端外側に球入口２１ａが設けられ下端後面に前記開口窓１６の周縁部に臨む球出口２１ｂが設けられた誘導通路樋２０，２０が配置されている。これら流入通路樋１８や誘導通路樋２０は他の部位に配置されても良い。前記取付基板１７の下端に開口窓１６と連通する縦溝２２が設けられ、適宜位置には遊技盤２面に取着するためビス２３を挿通する取付用孔２４が設けられる。前記開口窓１６に該開口窓１６を覆う同じ大きさの透明な蓋板２５が被着される。該蓋板２５には、その上部と両側部に前記流入通路樋１８の球出口１９ｂ、両誘導通路樋２０，２０の球出口２１ｂ，２１ｂと連通する透口２５ａ，２５ｂ，２５ｂが開設される。
【００１１】
前記取付基板１７の後側に囲い枠２６が設置される。該囲い枠２６は前記開口窓１６よりも一回り小さい円形状をなしかつ前面が開放すると共に後面を後側壁２７ａで塞いだ短筒状の枠体２７からなる。また、その内部に中央部側に向かって交互に下傾する棚板２８が複数段設けられ、その上面に打球が転動して流下する転動通路２９が屈曲して形成される。最下段の棚板２８ａの下端には、開口窓１６の中心を通る縦軸線に沿って上端面に特定球入口３１ａが設けられ、下端面に特定球出口３１ｂが設けられた特定入球通路樋３０が配置される。この特定球入球通路３０は下側が前方へ屈曲して前記取付基板１７の縦溝２２から前方へ突出しており、その下端の特定球出口３１ｂが遊技盤２面の前側であって前記中央入賞口５の真上に位置するようになっている。
【００１２】
前記転動通路２９に沿った後側壁２７ａの適宜位置、詳しくは各棚板２８の下端部付近に転動通路２９を流下する打球が流入し得る落し口３２が開設されている。各落し口３２は、その横幅が打球の直径のほぼ１．５倍程度の寸法に設定される。また、各落し口３２に対応位置して各棚板２８の上面には、図３、図６に示すように該各棚板２８の上面を流下する打球が流入し易いように底面が落し口３２へ向かって下傾する窪み部３３が設けられる。ただ、転動通路２９を流下する打球が必ず窪み部３３に誘導されて落し口３２に流入する訳ではなく、その打球の勢いなどそのときの状態で流入したりしなかったりする。
【００１３】
前記囲い枠２６の後側には、その後側を覆うカバー部材３４が配設される。このカバー部材３４は該囲い枠２６より一回り大きくかつ前面が開放しかつ後面が後壁３４ａにより塞がれた短円筒状に形成され、該囲い枠２６と同心円状に配置される。また、該囲い枠２６の内部の下端部に遊技盤２の後側と連通する球排出口３５が開設されている。この球排出口３５に流入した打球は、パチンコ遊技機Ｐの外部に排出されることになる。このように囲い枠２６の後側をカバー部材３４で覆うことにより、囲い枠２６の外周面とカバー部材３４の内周面との間に球流下通路３６が形成される。すなわち、囲い枠２６の外周側面とカバー部材３４の内周側面との間に、打球が流下できる幅を有する環状の球流下通路３６ａが形成される。また、囲い枠２６の後側壁２７ａ後面とカバー部材３４の後壁３４ａ前面との間に前記環状の球流下通路３６ａと連通する円形の球流下通路３６ｂが形成される。
【００１４】
前記囲い枠２６の外周面とカバー部材３４の内周面との間の球流下通路３６に回動部材３７が介在される。該回動部材３７は、カバー部材３４の後壁３４ａよりも若干小さい外径を有する支持円板３８を有する。該支持円板３８の中心には軸孔３９ａを有する軸筒部３９が設けられ、前記囲い枠２６の後側壁２７ａ後面の中心に設けられた軸支部２７ｂとカバー部材３４の後壁３４ａ前面の中心に設けられた軸支部３４ｂに挿通して軸支され自在に回動する支軸４０に前記軸筒部３９が挿通される。回動部材３７は支軸４０に一体に固着される。これにより、回動部材３７が前記球流下通路３６詳しくは前記囲い枠２６の後側壁２７ａ後面とカバー部材３４の後壁３４ａ前面との間の円形の球流下通路３６ｂ内において、囲い枠２６の後側壁２７ａと平行な面内で支軸４０と共に自在に回動するように軸装される。前記支軸４０の後端部を横断面Ｄ型となるようにカットし、回転部材３７の軸筒部３９の軸孔３９ａも前記支軸４０のＤ型の後端部が嵌入する横断面Ｄ型にしてある。
【００１５】
前記支持円板３８の前面の外周縁に、打球すなわち遊技球の直径より幅の広い間隔を保ち該支持円板３８の前面に対して直角をなしかつ前方へ突出する複数の球受羽根部４１が列設される。これら球受羽根部４１は、その前側部が前記囲い枠２６の外周側面とカバー部材３４の内周側面との間の環状の球流下通路３６ａに介入している。
【００１６】
前記取付基板１７の両側部に配置された各誘導通路樋２０の下端後面の球出口２１ｂが、前記環状の球流下通路３６ａと連通する。そして、各誘導通路樋２０に流入してその球出口２１ｂから環状の球流下通路３６ａに落下した打球は球受羽根部４１，４１に衝突し、その打球の衝撃により下側の球受羽根部４１を下方へ押す。これに伴い、回動部材３７を同方向へ回動させることになる。誘導通路樋２０は両側に設けられているので、いずれかの誘導通路樋２０に流入した打球により回動部材３７が時計回転方向または反時計回転方向へ自由に回動し得るようになっている。
【００１７】
また、前記囲い枠２６の後側壁２７ａに開設された各落し口３２は前記円形の球流下通路３６ｂと連通している。そして、該各落し口３２から円形の球流下通路３６ｂに落下した打球も球受羽根部４１，４１に衝突し、その打球の衝撃により下側の球受羽根部４１を下方へ押す。これに伴い、回動部材３７をいずれかの方向へ回動させることになる。このように、打球の衝撃により回動部材３７を回動させる関係から、該回動部材３７は軽量化が図られている。
【００１８】
前記回動部材３７の前側であって支軸４０に遮蔽部材４２が固着されている。該遮蔽部材４２は十文字状の薄板からなり、その中心部の取付孔４２ａに支軸４０が挿通される。しかも、前記囲い枠２６の後側壁２７ａの裏面に近接して配置される。該遮蔽部材４２の形状は十文字状に限らず、例えばＹ字状またはヒトデ状等他の形状であっても良い。そして、前記回動部材３７の回動と共に連動して回動し、その停止と共に停止するようになっている。この遮蔽部材４２は、前記囲い枠２６の各落し口３２を後側から塞ぎ得るものであって、遮蔽部材４２が停止した位置では該遮蔽部材４２により各落し口３２が偶然的に閉鎖または開放される。この場合も、前記支軸４０の前端部を横断面Ｄ型となるようにカットし、遮蔽部材４２の取付孔４２ａも前記支軸４０のＤ型の前端部が嵌入する横断面Ｄ型にしてある。
【００１９】
前記取付基板１７の流入通路樋１８に球入口１９ａから流入した打球がその下端後側の球出口１９ｂから最上段の棚板２８上面に落下して転動通路２９を転動する様、または環状の球流下通路３６ａ内を打球が流下する様は、取付基板１７の開口窓１６に取着された透明な蓋板２５を介して前側から視認できるようになっている。
【００２０】
本発明に係るパチンコ遊技機の役物装置は上記構成からなり、次に前記遊技盤２のゲージに基き作用を説明する。通常、前記遮蔽部材４２は自由な位置で停止している。例えば、図４では正面×文字状となる位置で停止している。このとき、転動通路２９の途中で最上部の第一の落し口３２ａが遮蔽部材４２により邪魔されずに開放しており、反面、第二の落し口３２ｂと第三の落し口３２ｃが遮蔽部材４２により一部塞がれ打球が流入できないように閉鎖している。
【００２１】
そこで、球入口１９ａから流入通路樋１８内に流入した打球Ｂ１は、屈曲した転動通路２９を流下することになる。該打球Ｂ１が前記第一の落し口３２ａに運悪く流入すると、この打球Ｂ１は図５、図６に示すようにその後側の円形の球流下通路３６ｂに落下し、球受羽根部４１，４１に衝突する。そして、回動部材３７を図４矢印イ方向へ少し回動させつつその打球Ｂ１が球排出口３５の位置で該球排出口３５に落下する。落下した打球Ｂ１はパチンコ遊技機Ｐの外部に導かれる。
【００２２】
一方、前記第一の落し口３２ａに運良く流入しなかった打球Ｂ２は、第二・第三の落し口３２ｂ，３２ｃにかかるが、遮蔽部材４２により第二・第三の落し口３２ｂ，３２ｃが運良く閉鎖されている状態では、当然第二・第三の落し口３２ｂ，３２ｃに流入することなく転動通路２９の流下端に達っする。そして、特定球入口３１ａに流入し、特定入球通路樋３０の特定球出口３１ｂから遊技盤２面に戻る。その下方には中央入賞口５が配設されているので、該中央入賞口５に入賞する確率が高くなる。
【００２３】
中央入賞口５に打球Ｂ２が入賞すると、両傾動翼片８，８が打球が入賞し易い逆八の字状に傾動し、遊技盤２面を流下する打球が入賞し易くなる。この状態で、中央入賞口５に打球が入賞すると、両側の第一入賞口６，６がその傾動翼片８，８を逆八の字状に傾動して打球が入賞し易くなる。また、これら第一入賞口６，６に打球が入賞すると、更にその外側の第二入賞口７，７の傾動翼片８，８が傾動して打球が入賞し易くなる。このようにして、運良く特定球入口３１ａに打球Ｂ２が入賞すると、一度に多くの賞球を得ることができることになる。
【００２４】
遊技中に、前記取付基板１７の両側部のいずれかの誘導通路樋２０，２０に打球Ｂ３または打球Ｂ４が流入すると、該打球Ｂ３，Ｂ４は、図４、図７に示すようにその下端後面の球出口２１ｂから環状の球流下通路３６内に落下する。そして、前記打球Ｂ３または打球Ｂ４は球受羽根部４１，４１に衝突し、その衝撃により該球受羽根部４１を下方へ押し下げる。これにより、回動部材３７が図４矢印ロまたは図４矢印ハに示す方向へ回動し適宜位置で停止する。前記打球Ｂ３，Ｂ４も球排出口３５の位置で該球排出口３５に流入しパチンコ遊技機Ｐの外部へ排出される。同様に、回動部材３７と共に遮蔽部材４２も図４矢印ロまたは図４矢印ハに示す方向へ回動して適宜位置で停止することになる。
【００２５】
そこで、例えば図８に示すように転動通路２９におけるいずれの落し口３２ａ，３２ｂ，３２ｃもすべて遮蔽部材４２により塞がれたときは、該転動通路２９に流入して流下する打球Ｂ５がほぼ確実に流下端の特定球入口３１ａに流入する。そして、特定球出口３１ｂから遊技盤２面を下方へ落下するので、その真下に配設される中央入賞口５に入賞し易くなる。この状態も打球Ｂ５により回動される遮蔽部材４２の偶然的な停止位置により起こり得る。
【００２６】
このように、回動部材３７すなわち遮蔽部材４２を両誘導通路樋２０，２０または落し口３２に流入する打球が衝突することにより回動させるようにしたので、落し口３２の開放状態と閉鎖状態とが不規則に変化し極めて偶然的に決まることになり、遊技の興趣が高められ、遊技者を十分に楽しませることができる。
【００２７】
図９は遊技盤２の他の盤面ゲージを示すもので、前記特定入球通路樋３０の真下の遊技盤２面に特別入賞口４３が配置される。また、その一側の遊技盤２に、横長の賞球口４４が開設されると共に該賞球口４４に図示しない電気的機動源により前後に回動して該賞球口４４を開閉する開閉扉４５が軸着された大入賞装置４６が配置されている。この大入賞装置４６は、前記特別入賞口４３に打球が入賞することにより電気的に検出され、この検出により前記大入賞装置４６の開閉扉４５が一定の時間または所定個数の打球が入賞するまで開放する。そして、その開閉扉４５が閉じた後一定の条件を満たすことにより開閉扉４５を所定回数開放し、一度に多くの賞球が得られるようになっている。このような遊技盤ゲージにあっても本発明に係るパチンコ遊技機の役物装置が適用でき、遊技の興趣を盛り上げることができる。
【００２８】
本発明にあっては、取付基板１７の両側部にそれぞれ誘導通路樋２０，２０を設けるようにしたが、片方のみであっても良い。また、両誘導通路樋２０，２０または各落し口３２にそれぞれ流入した打球によって回動部材３７を回動するようにしたが、両誘導通路樋２０，２０のみに流入した打球によって回動部材３７を回動するようにしても良いことは勿論である。
【図面の簡単な説明】
【００２９】
【図１】本発明が適用されるパチンコ遊技機の正面図。
【図２】本発明に係る役物装置の斜視図。
【図３】同分解斜視図。
【図４】同正面図。
【図５】図４のＸ−Ｘ線断面図。
【図６】図４のＹ−Ｙ線断面図。
【図７】球流下通路部位を断面にして示す役物装置の側面断面図。
【図８】遮蔽部材の作用を示す役物装置の正面図。
【図９】他の実施の形態に係る遊技盤面のゲージの正面図。
【符号の説明】
【００３０】
２                遊技盤
２ａ              遊技部
４                役物装置
１６              開口窓
１７              取付基板
１８              流入通路樋
２０              誘導通路樋
２６              囲い枠
２７ａ            後側壁
２９              転動通路
３２              落し口
３４              カバー部材
３６              球流下通路
３７              回動部材
４１              球受羽根部
４２              遮蔽部材
Ｐ                パチンコ遊技機
【図１】
2007282921.tif 000003
【図２】
2007282921.tif 000004
【図３】
2007282921.tif 000005
【図４】
2007282921.tif 000006
【図５】
2007282921.tif 000007
【図６】
2007282921.tif 000008
【図７】
2007282921.tif 000009
【図８】
2007282921.tif 000010
【図９】
2007282921.tif 000011